(57)【要約】【課題】表示部と差込部とを連接させた園芸用ラベルにおいて、直立させた差込部の横や前側で表示部を片持式に傾斜させられるようにすること【解決手段】差込部側へ反転させた差込部を装入するためのスリットを連接部に形成したこと【選択図】図１
2008005792.tif 000002
【特許請求の範囲】
【請求項１】
表示部と差込部とを連接させた園芸用ラベルにおいて、差込部側へ反転させた差込部を装入するためのスリットを連接部に形成した園芸用ラベル。
【請求項２】
スリットを差込部の長手方向と同方向に形成した請求項１に記載の園芸用ラベル。
【請求項３】
スリットを差込部の長手方向に対してこれを横断する方向に形成した請求項１に記載の園芸用ラベル。
【請求項４】
差込部の長手方向に折曲加工部を設けた請求項１又は３に記載の園芸用ラベル。
【請求項５】
差込部の側縁に切欠き凹部を形成した請求項１、２、３又は４に記載の園芸用ラベル。
【請求項６】
表示部及び／又は差込部から突出させた凸部をスリットの開口縁に臨ませた請求項１ないし５のいずれかに記載の園芸用ラベル。
【請求項７】
スリットに装入させた差込部に凸部を係止させる係止スリットを設けた請求項６に記載の園芸用ラベル。
【発明の詳細な説明】
【技術分野】
【０００１】
本発明は、表示部と差込部とを連接させた園芸用ラベルに関するもので、育苗ポット、植木鉢、プランターなどで植物を育てる場合に使用される。
【背景技術】
【０００２】
この種のラベルとしては、特許文献１、２に開示されたものが知られている。
特許文献１に開示されているラベルは、表示部を二つ折りにして両端部側から差し込み用の舌片を突出させ、折り曲げた後面側の表示部の下部に設けた二本のスリットに表面側の舌片を挿入して表面側の表示部を曲面で形成し、他方の舌片をポットの土壌に差し込むようにしたものである。
しかしながら、このラベルでは、表示部が曲面となってしまうため、表示全体を一覧することができず、極めて見づらくなる不都合がある。
また、表示部は、その下端に突出させた舌片を後面に設けられているスリットに装入させているため、その係合状態を解除しない限り裏面を見ることができず、表示ラベルとしての機能が制限される不都合もある。
【０００３】
特許文献２に開示されているラベルは、ラベルの差込部に屈曲部を設けて下端側をラベルの裏面側へ曲げる構成を採用しており、育苗ポットの外側に形成されたスリットに差し込んだ際に、ラベルの下端がポットの外側に当接してラベルの上部（表示部）をポット側へ傾斜させるようにしている。
しかしながら、このラベルの使用に際しては、ポットにラベルを差し込むためのスリットが形成されていることが条件となり、ポット内の土壌に直接差し込むことができない不都合がある。また、表示部がポットの内側へ傾斜するため、苗が大きくなると葉や枝が接触して傷んでしまう不都合もある。
【特許文献１】特開2002-51644号公報
【特許文献２】特開2002-34344号公報
【発明の開示】
【発明が解決しようとする課題】
【０００４】
本発明は、表示部と差込部とを連接させた園芸用ラベルにおいて、直立させた差込部の横や前側で表示部を片持式に傾斜させるようにすることを課題としたものである。
【課題を解決するための手段】
【０００５】
この技術的課題を解決するための第一の技術的手段は、差込部側へ反転させた差込部を装入するためのスリットを連接部に形成したことである。
第二の技術的手段は、この技術的手段において、差込部の長手方向に折曲加工部を設けたことである。
第三の技術的手段は、これらの技術的手段において、差込部の側縁に切欠き凹部を形成したことである。
第四の技術的手段は、表示部及び／又は差込部から突出させた凸部をスリットの開口縁に臨ませたことである。
【０００６】
第一の技術的手段においては、表示部側へ反転させた差込部は連接部に形成されたスリットに装入される。
差込部は、反転する位置で折り曲げられるが、折曲部に生じる反発弾性がスリットを介して表示部側に掛かるから、表示部はその先端が上向きとなり、表示部は片持式で傾斜させられる状態で差込部に支持されることになる。
【０００７】
ラベルは、差込部を反転させて折り曲げられる素材で形成する必要がある。強靱な紙、合成紙、薄肉プラスチック、紙にプラスチックコーティングを施したもの等を好適に使用することができる。
【０００８】
片持式で支持される表示部は、自由端側から捲り上げることができる。したがって、裏側に植物に関する情報を記載しておくと、看者は必要に応じて表示部を捲り上げ、裏面の情報を確認することができる。
この場合、表示部の裏面の印刷は、表面とは天地を逆にしておくことが望ましい。
【０００９】
このスリットを差込部の長手方向と同方向に形成すると、表示部は差込部に対して横向きとなる。
長手方向に対してこれを斜めに横断する方向にスリットを形成すると、表示部は斜め前方に向って傾斜する。また、長手方向に対して直角に横断する方向にスリットを設けると、表示部は差込部の前方に向って傾斜することになる。
【００１０】
第二の技術的手段では、差込部の長手方向に折曲加工部が設けられているから、この線に沿って差込部を折り曲げると差込部が突出する状態となり、差込部の前方又は斜め前方に位置する表示部の傾斜状態を支えることができる。
【００１１】
第三の技術的手段においては、差込部の側縁に切欠き凹部が形成されているから、差込部を土壌に差し込んだ場合には、土壌と差込部との抵抗を大きくすることができ、表示部が風に煽られても、差込部の土壌に対する抵抗力が大きくなってラベルが抜けるのを抑制することができる。
また、ポットに形成したラベル差込スリットに差込部を挿入した場合も、スリットの縁部にこの凹部が係合してラベルは容易に抜けることはない。
【００１２】
また、第四の技術的手段では、表示部及び／又は差込部から突出させた凸部がスリットの開口縁に臨ませられているから、この凸部がスリットに装入されている差込部を押圧して表示部の傾斜状態を維持させることができる。
このとき、スリットに装入させた差込部に係止スリットを設け、これに前記凸部を係止させるようにすると、表示部の傾斜状態を確実に固定させることができる。
【発明の効果】
【００１３】
直立させた差込部の前側でラベルの表示部を片持式に傾斜させられる結果、花や苗の看者は、斜め上の位置から表示部全体を見ることができる利点がある。
ラベルは土壌に直接差し込む他、ポットや植木鉢の開口縁や外側に形成したスリットに差し込むことができる。
表示部の表裏両面に情報を記載できるから、表示部のスペースを有効に利用することができる利点もある。
また、表示部は差込部の前面で傾斜させられるから、植木鉢やポット内で成長している花や葉と接触するおそれがなく、これらを傷めることもない。
【実施例１】
【００１４】
図１は、本発明に係る園芸用ラベルの表面図である。ラベルは、紙にプラスチックコーティングを施したものを使用している。
表示部１と差込部３との連接部２には、差込部の幅よりわずかに大きいスリット４を、差込部３の長手方向に対して直角に形成している。
図２は、差込部３を一点鎖線で示したように反転させ、連接部の端部５で折曲させてスリット４に挿入した状態を示している。この状態で差込部を図示しない植木鉢などの土壌に直接差し込むことになる。
なお、反転部５からスリット４の間で露出する差込部３の部分は、バーコード、植物のシリーズ名、販売店名などを表示するスペースとして活用することができる。
【実施例２】
【００１５】
図３は、差込部３を育苗ポット７の外側に形成したスリット８に差し込んだラベルの状態を示している。この実施例では、スリット８は差込部３の下部の幅より僅かに小さく形成してあって、差込部３の下部左右に形成した切欠き凹部６をスリット８の開口縁の外側に係止させるようにしている。
【実施例３】
【００１６】
図４は、差込部の長手方向に折曲加工部を形成したラベルを示したものである。
図１の状態において、差込部３の表面側に谷折線を形成しておくと、差込部３をスリット４に装入させた後谷折線を折り曲げると、スリット部分で表示部に押圧力を大きくしたり、折曲部９が表示部に当接したりして、表示部１の傾斜状態を維持することになる。
【実施例４】
【００１７】
図５ａ、ｂは、表示部１からスリット４側へ凸部１１を突出させてスリット４に臨ませている。ｂに示したように、この凸部１１は、差込部３に形成した係止スリット１２に係止させることによって、表示部の傾斜状態を安定させている。
【実施例５】
【００１８】
図５ａ、ｂは、連接部２に形成するスリット１４を斜めに設けた例を示している。一点鎖線にしたがって差込部３を差し込んだ状態では、ｂに示したように、表示部１は斜め前方に向って傾斜している。
【図面の簡単な説明】
【００１９】
【図１】ラベルの表面図
【図２】差込部をスリットに装入した状態の斜視図
【図３】ラベルを育苗ポットに差し込んだ状態の斜視図
【図４】差込部を折曲部を設けた状態の斜視図
【図５】他の実施例におけるラベルの説明図
【図６】表示部の向きを変えたラベルの説明図
【符号の説明】
【００２０】
１表示部、  ２連接部、  ３差込部、   4、14差込部を装入するスリット、  ５反転折曲部、  ６切欠き凹部、  ７育苗ポット、  ８ポットに形成したスリット、  ９突出する折曲部、11凸部、  12凸部を係止するためのスリット
【図１】
2008005792.tif 000003
【図２】
2008005792.tif 000004
【図３】
2008005792.tif 000005
【図４】
2008005792.tif 000006
【図５】
2008005792.tif 000007
【図６】
2008005792.tif 000008